(57)【特許請求の範囲】
【請求項１】
ワイヤハーネス組立図板の上方に配置され、先端にコネクタが接続された第１電線、コネクタに後入れする端子が接続された第２電線並びに後入れ後のコネクタに接続された全電線を保持するためのワイヤハーネス組立治具であって、
前記図板に立設される軸部と、該軸部の上に設けられ、水平方向に離隔した２つの平行部の下側が連結された支持部材とを有し、
該平行部の少なくとも上部を残して下側に設けられ、上縁が底部として機能する弾性部材の上側が、該第１電線を保持する第１保持部を構成し、
該弾性部材の上縁から下方に向けて形成されたスリットが、該第２電線または該全電線を保持する第２保持部を構成することを特徴とするワイヤハーネス組立治具。
【請求項２】
前記弾性部材は弾性を有する材料をコーティングして形成され、前記スリットはその弾性部材を切欠くことにより形成されていることを特徴とする請求項１に記載のワイヤハーネス組立治具。
【発明の詳細な説明】
【０００１】
【発明の属する技術分野】
本発明は、ワイヤハーネス組立図板上に配置され、先端にコネクタを接続した電線群およびコネクタに後入れする端子を接続した電線を保持するためのワイヤハーネス組立治具に関するものである。
【０００２】
【従来の技術】
ワイヤハーネスの形成は、複数の電線をワイヤハーネス組立図板（以下、単に図板という）上に立設した治具に沿って配索し、これら治具で保持された複数の電線をテープ巻きして形成している。
【０００３】
上記ワイヤハーネスの形成時において、先端にコネクタを取付けた電線群（仮結束品）を付線用治具にて保持し、該電線群内の電線とは別の、先端に端子を接続した電線を上記コネクタに後入れして接続する作業がある。一般に、このように組立図板上でコネクタに後入れして接続する電線を後入れ端子電線（または単に後入れ電線）と呼んでいる。
【０００４】
かかる後入れ端子電線をコネクタに接続する場合、後入れ端子電線を挿入するコネクタの端子収容室は予め個々の電線毎に決められており、作業者は、図板上に記載されている指示に従って、各後入れ端子電線を所定の端子収容室に挿入して接続する。このため、従来から、コネクタを接続した電線群を保持する一方、コネクタ近傍に後入れ端子電線を保持できるようにした治具を用いている。
【０００５】
図７は、その治具であり、該治具１００は、図板に立設する軸部１０１と該軸部１０１の上端より突出して電線群を保持するＵ字枠部１０２とからなる布線用Ｕ字治具部１１０Ａ（図７（Ａ））と、長板１０３の中間部に布線用Ｕ字治具部１１０ＡのＵ字枠部１０２の各側枠１０２ａ、１０２ｂが挿入される穴部１０３ａ、１０３ｂを設けると共に、両側部に後入れ端子電線を挟持するエンドクリップ１０４ａ、１０４ｂを立設した後入れ端子電線保持治具部１１０Ｂ（図７（Ｂ））とからなり、後入れ端子電線保持治具部１１０Ｂの長板１０３の穴部１０３ａ、１０３ｂに布線用Ｕ字治具部１１０Ａの側枠１０２ａ、１０２ｂを挿入して組み立てている（図７（Ｃ））。なお、図７（Ｃ）中の１２４はビスである。
【０００６】
コネクタへの後入れ端子電線の挿入作業は、以下のようにして行う。図板上で電線を布線し、図８に示すように、後入れ端子電線１２２ａ、１２２ｂを端子電線保持治具部のエンドクリップ１０４ａ、１０４ｂで挟持した後、先端にコネクタ１２０を接続した電線群（仮結束品）１２１のコネクタ１２０の手前部分を布線用Ｕ字治具部のＵ字枠部１０２に載置して保持する。そして、後入れ端子電線１２２ａ、１２２ｂを順次クリップから外し、コネクタ１２０の所定の端子収容室１２０ａに挿入していく。
【０００７】
【発明が解決しようとする課題】
しかしながら、図７に示した治具の場合には、電線群を保持する布線用Ｕ字治具部と、後入れ端子電線を保持する後入れ端子電線保持治具部とが別々の箇所に各々独立して構成されていたため、部品点数が多くなるという難点があった。また、布線用Ｕ字治具部の周辺に後入れ端子電線保持治具部が配置されているため、作業スペースが狭くなったり、作業性を阻害することがあった。更には、後入れ端子電線を後入れしたコネクタの電線群を布線用Ｕ字治具部に保持し、結束や外装取付けを行う際に、コネクタが布線用Ｕ字治具部から外れて掛け直す必要があり、無駄な作業が発生するという欠点があった。
【０００８】
本発明は、このような従来技術の課題を解決すべくなされたものであり、部品点数を削減化でき、また作業スペースの拡大化を図って作業性を向上させ得、しかも後入れ端子電線を後入れしたコネクタの電線群を保持して結束や外装取付けを行う際にコネクタが外れ難くすることができるワイヤハーネス組立治具を提供することを目的とする。
【０００９】
【課題を解決するための手段】
本発明のワイヤハーネス組立治具は、ワイヤハーネス組立図板の上方に配置され、先端にコネクタが接続された第１電線、コネクタに後入れする端子（後入れ端子ともいう）が接続された第２電線並びに後入れ後のコネクタに接続された全電線を保持するためのワイヤハーネス組立治具であって、前記図板に立設される軸部と、該軸部の上に設けられ、水平方向に離隔した２つの平行部の下側が連結された支持部材とを有し、該平行部の少なくとも上部を残して下側に設けられ、上縁が底部として機能する弾性部材の上側が、該第１電線を保持する第１保持部を構成し、該弾性部材の上縁から下方に向けて形成されたスリットが、該第２電線または該全電線を保持する第２保持部を構成することを特徴とする。
【００１０】
本発明治具にあっては、第１保持部が支持部材の上側に、第２保持部が支持部材の下側にそれぞれ設けられ、つまり支持部材を共用して第１保持部と第２保持部とが設けられているので、従来において必要であった長板（１０３）やビス（１２４）に相当する部材が不要となり、部品点数を削減化することができる。また、支持部材の上側で第１保持部が、支持部材の下側で第２保持部が設けられた二階建て構造であるので、作業スペースの拡大化が図れ、これにより作業性を向上させ得る。更に、後入れ端子を後入れしたコネクタに接続された全電線が、周囲を弾性部材で囲まれた第２保持部に保持されるので、結束や外装取付けを行う際にコネクタが外れ難くなる。
【００１１】
また、本発明のワイヤハーネス組立治具において、前記弾性部材は弾性を有する材料をコーティングして形成され、前記スリットはその弾性部材を切欠くことにより形成されている構成とすることが好ましい。
【００１２】
この構成にあっては、使用により弾性部材が摩耗してきても、支持部材に弾性を有する材料をコーティングしてスリットを設ければ、弾性部材は勿論のこと第２保持部も再生することができ、ワイヤハーネス組立治具を繰り返し使用することが可能となる。その結果として、コストの低廉化が図れる利点がある。
【００１３】
【発明の実施の形態】
以下に、本発明の実施形態を具体的に説明する。
【００１４】
図１は、本実施形態に係るワイヤハーネス組立治具をワイヤハーネス組立図板上に配置した状態を示す斜視図（一部断面図）である。
【００１５】
このワイヤハーネス組立治具１は、ワイヤハーネス組立図板１０の上側に立設される軸部２と、その軸部２の上端に一体的に連結されたＵ字状をした支持部材３とを有する金属製のものである。支持部材３は、水平方向に離隔した２つの平行部３ａ、３ｂの下側が円弧部３ｃにて連結されている。軸部２は、途中にワッシャＷが取付けられ、その下側から下端にわたり、ワイヤハーネス組立図板１０の厚み寸法よりも長いねじ部２ａが形成されている。
【００１６】
かかるワイヤハーネス組立治具１のワイヤハーネス組立図板１０への取付けは、ワイヤハーネス組立図板１０に穴あけ加工により形成された取付け孔１１に、軸部２の下部を上側から挿通し、取付け孔１１を貫通した軸部２のねじ部２ａに下側からナットＮを締め付けることで行われる。
【００１７】
支持部材３の平行部３ａ、３ｂの下部から円弧部３ｃにかけて、内側に弾性部材４が形成されており、その弾性部材４の略中央部には、上縁から下端までにわたりスリット５が形成されている。弾性部材４は、例えばシリコンゴムやウレタンゴム等からなる弾性を有する樹脂材料をコーティングすることにより形成されており、上縁は平滑な水平面となっている。
【００１８】
平行部３ａ、３ｂにおける弾性部材４よりも上側の部分は、弾性部材４の上縁を底部として機能する第１保持部Ａを構成し、その第１保持部Ａには、図２及び図３に示すように先端にコネクタ２０が接続された複数の電線からなる第１電線２１が上側から挿入されることにより保持される。
【００１９】
スリット５は、コーティングされた弾性部材４を切欠くことにより形成されている。このスリット５は、コネクタ２０に後入れする端子２２が接続された複数の電線からなる第２電線２３と、その後入れ端子２２が後入れされたコネクタ２０に接続されている全電線（第１電線２１及び第２電線２３）を保持するための第２保持部Ｂを構成し、この第２保持部Ｂには前記第２電線２３または全電線が上側から第１保持部Ａを通って挿入される。図２及び図３は、第２電線２３が第２保持部Ｂに保持された状態を示し、図４は前記全電線が第２保持部Ｂに保持された状態を示す。
【００２０】
次に、このように構成されたワイヤハーネス組立治具１を使用したワイヤハーネスの組立て作業について説明する。
【００２１】
まず、図２及び図３に示すように第２保持部Ｂに、後入れ端子２２が接続された第２電線２３を上側から挿入して保持し、その後、第１保持部Ａに、先端にコネクタ２０が接続された第１電線２１を上側から挿入して保持する。続いて、第１保持部Ａに保持された第１電線２１が接続されたコネクタ２０の所定の端子収容室２０ａに、第２保持部Ｂに保持された第２電線２３の先端に接続された端子２２を接続し、コネクタ２０へ接続する全ての電線の接続が完了する。
【００２２】
その後、図４に示すようにコネクタ２０に接続された全電線を第２保持部Ｂに保持し、テープによる結束や外装取付けを行う。
【００２３】
したがって、本実施形態による場合には、第１保持部Ａが支持部材３の上側に、第２保持部Ｂが支持部材３の下側にそれぞれ設けられ、つまり支持部材３を共用して第１保持部Ａと第２保持部Ｂとが設けられているので、従来において必要であった長板１０３やビス１２４に相当する部材が不要となり、部品点数を削減化することができる。また、支持部材３の上側で第１保持部Ａが、支持部材３の下側で第２保持部Ｂが設けられた二階建て構造であるので、作業スペースの拡大化が図れ、これにより作業性を向上させ得る。更に、後入れ端子２２を後入れしたコネクタ２０に接続された全電線が、周囲を弾性部材４で囲まれたスリット５からなる第２保持部Ｂに保持されるので、結束や外装取付けを行う際にコネクタ２０を外れ難くすることができる。また、使用経過により弾性部材４が摩耗してきても、支持部材３に弾性を有する材料をコーティングしてスリットを切欠けば、弾性部材４は勿論のこと第２保持部Ｂも再生することができ、ワイヤハーネス組立治具１を繰り返し使用することが可能となる。その結果として、コストの低廉化が図れる利点がある。
【００２４】
図５は、本発明の他の実施形態に係るワイヤハーネス組立治具を示す正面図である。このワイヤハーネス組立治具１Ａは、弾性部材４に２つのスリット５ａ，５ｂが形成されているため、電線数が多い多極コネクタの電線を保持する場合に有効となる。
【００２５】
なお、本発明は、弾性部材に形成するスリットの本数は、上述した１本または２本に限らず、３本以上設けるようにしてもよい。
【００２６】
また、上述した実施形態では平行部の直ぐ上に、第１保持部の底部が位置するように構成しているが、本発明はこれに限らず、平行部のもっと上側に第１保持部の底部が位置するように構成したり、或いは、平行部と円弧部の境界部分を下限として第１保持部の底部が位置するように構成してもよい。
【００２７】
また、上述した実施形態では平行部の下側が円弧部となったＵ字状をした支持部材を使用しているが、本発明はこれに限らず、図６（ａ）に示すように平行部３ａ、３ｂの下側がＶ字状をした支持部材３Ａや、図６（ｂ）に示すように平行部３ａ、３ｂの下端が直線状の棒状部３ｄで連結されたコの字状の支持部材３Ｂなどを使用することができる。この場合においても、上述したように第１保持部の底部の位置を選定することができるのは勿論であり、特に図６（ｂ）に示す場合には平行部３ａ、３ｂの途中に、第１保持部の底部の位置を選定すればよい。
【００２８】
また、上述した実施形態では弾性部材の上縁から下端の全長にわたる長さでスリットを形成しているが、本発明はこれに限らず、弾性部材の上縁から下側に向かう途中までの長さでスリットを形成してもよいことは勿論である。
【００２９】
【発明の効果】
以上詳述したように、本発明による場合には、第１保持部が支持部材の上側に、第２保持部が支持部材の下側にそれぞれ設けられ、つまり支持部材を共用して第１保持部と第２保持部とが設けられているので、部品点数を削減化することができる。また、支持部材の上側で第１保持部が、支持部材の下側で第２保持部が設けられた二階建て構造であるので、作業スペースの拡大化が図れ、これにより作業性を向上させ得る。更に、後入れ端子を後入れしたコネクタに接続された全電線が、周囲を弾性部材で囲まれた第２保持部に保持されるので、結束や外装取付けを行う際にコネクタを外れ難くすることができる。
【図面の簡単な説明】
【図１】本発明の実施形態に係るワイヤハーネス組立治具をワイヤハーネス組立図板上に配置した状態を示す斜視図（一部断面図）である。
【図２】図１のワイヤハーネス組立治具に電線を保持した状態を示す斜視図である。
【図３】図１のワイヤハーネス組立治具に電線を保持した状態を示す右側面図である。
【図４】図１のワイヤハーネス組立治具に、後入れ後のコネクタに接続された全電線を保持した状態を示す斜視図である。
【図５】本発明の他の実施形態に係るワイヤハーネス組立治具を示す正面図である。
【図６】（ａ）および（ｂ）は共に、本発明の更に他の実施形態に係るワイヤハーネス組立治具を示す正面図である。
【図７】従来のワイヤハーネス組立治具の構成を、組立工程順に示す斜視図である。
【図８】図７の従来のワイヤハーネス組立治具に電線を保持した状態を示す斜視図である。
【符号の説明】
１、１Ａ  ワイヤハーネス組立治具
２  軸部
３、３Ａ、３Ｂ  支持部材
４  弾性部材
５、５ａ、５ｂ  スリット
Ａ  第１保持部
Ｂ  第２保持部
１０  ワイヤハーネス組立図板
１１  取付け孔
２０  コネクタ
２１  第１電線
２２  後入れ端子
２３  第２電線
【図１】
0003855669.tif 000002
【図２】
0003855669.tif 000003
【図３】
0003855669.tif 000004
【図４】
0003855669.tif 000005
【図５】
0003855669.tif 000006
【図６】
0003855669.tif 000007
【図７】
0003855669.tif 000008
【図８】
0003855669.tif 000009